(57)【要約】【課題】調理時間を短縮すると共に被調理物の均一な加熱を可能とすること、加熱により釜に赤熱部分が生ずることなく、安全性を高めること、排ガスや廃熱の発生を抑制して厨房環境を良好に保つこと、加熱停止後の被調理物に対する保温性を高めることを目的とする。又、被調理物への排ガスやすすの混入を防止し、万一にも漏出した熱媒体が被調理物に混入した場合であっても、被調理物の安全性を保つことを目的とする。【解決手段】内釜３と外釜４で構成される二重構造の釜２を備え、該内釜３と該外釜４間の密閉空間１０に熱媒体２２及び空気１００を封入し、外釜４の底部にタンク４１を設け、タンク４１を貫通させた管４２を設け、該管４２内に外釜３を電磁誘導加熱する誘導加熱コイル５を備え、密閉空間１０内を負圧にする負圧手段８を設けた調理装置。【選択図】  図１
2006239315.tif 000002
【特許請求の範囲】
【請求項１】
内釜と外釜で構成される二重構造の釜を備え、該内釜と該外釜間の密閉空間に熱媒体を封入し、外釜を電磁誘導加熱する誘導加熱コイルを備えることを特徴とする調理装置。
【請求項２】
前記密閉空間内に管を設け、該管内に前記誘導加熱コイルを設置したことを特徴とする請求項１記載の調理装置。
【請求項３】
外釜の底部にタンクを設け、タンク内に前記管を設けたことを特徴とする請求項２記載の調理装置。
【請求項４】
前記管は前記タンクを貫通させて設けたことを特徴とする請求項３記載の調理装置。
【請求項５】
前記熱媒体は食用油であることを特徴とする請求項１から４のうちいずれか１項記載の調理装置。
【請求項６】
前記密閉空間内には熱媒体と気体が封入され、密閉空間内を負圧にする負圧手段を設けたことを特徴とする請求項１から５のうちいずれか１項記載の調理装置。
【発明の詳細な説明】
【技術分野】
【０００１】
本発明は調理装置に関し、詳しくは内釜と外釜とを備え、内釜と外釜間の密閉された空間に熱媒体を封入し、外釜を加熱することにより、熱媒体を介して内釜を加熱して、内釜に投入した被調理物を加熱する調理装置に関する。
【背景技術】
【０００２】
従来の調理装置として、内釜と外釜の二重構造であり、該内釜と該外釜間の空洞部に水を張り込み、該外釜の下部に設けたバーナーによって、該空洞部の水を加熱して、これにより該内釜内の煮炊物を煮炊きするものが提案されている（特許文献１参照。）。
【０００３】
しかし、外釜の下部に設けたガスバーナーでの加熱では、空洞部内の水を急速且つ均一に加熱することが出来ず、調理が時間がかかると共に、被調理物の均一な加熱が出来ずに、焦げが発生するといった問題点があった。又、炎による加熱により外釜に赤熱部分が生じて安全性に問題があり、更に、排ガスや廃熱による厨房環境の悪化という問題点もあった。
【０００４】
又、従来の調理装置として、内釜と外釜から構成される調理釜であって、内釜の外側に電磁加熱のための加熱リッツ線が配設されて、該内釜を直接加熱する構成の調理装置も提案されている（特許文献２参照。）。
【０００５】
しかし、このような構成の調理装置は、内釜を直接加熱するために被調理物の均一な加熱が出来ずに、焦げが発生するといった問題点があった。又、内釜の加熱を停止した場合に内釜の温度が急速に低下し、被調理物に対する保温性が悪いという問題点があった。
【０００６】
【特許文献１】特開２００３−６１８２１号公報
【特許文献２】特開２００４−１４１１９１号公報
【発明の開示】
【発明が解決しようとする課題】
【０００７】
そこで、本願発明は上記従来技術の問題点を解決し、調理時間を短縮すると共に被調理物の均一な加熱を可能とすることを目的とする。又、加熱により釜に赤熱部分が生ずることなく、安全性を高めることを目的とする。又、排ガスや廃熱の発生を抑制して厨房環境を良好に保つことを目的とする。更に、加熱停止後の被調理物に対する保温性を高めることを目的とする。又、被調理物への排ガスやすすの混入を防止し、万一にも漏出した熱媒体が被調理物に混入した場合であっても、被調理物の安全性を保つことを目的とする。
【課題を解決するための手段】
【０００８】
上記課題を解決するための手段は、内釜と外釜で構成される二重構造の釜を備え、該内釜と該外釜間の密閉空間に熱媒体を封入し、外釜を電磁誘導加熱する誘導加熱コイルを備えることを特徴とする調理装置である。
【０００９】
又、上記調理装置において、前記密閉空間内に管を設け、該管内に前記誘導加熱コイルを設置したことを特徴とする調理装置である。
【００１０】
又、上記調理装置において、外釜の底部にタンクを設け、タンク内に前記管を設けたことを特徴とする調理装置である。
【００１１】
又、上記調理装置において、前記管は前記タンクを貫通させて設けたことを特徴とする調理装置である。
【００１２】
又、上記調理装置において、前記熱媒体は食用油であることを特徴とする調理装置である。
【００１３】
又、上記調理装置において、前記密閉空間内には熱媒体と気体が封入され、密閉空間内を負圧にする負圧手段を設けたことを特徴とする調理装置である。
【発明の効果】
【００１４】
以上のような本願請求項１記載の発明によれば、調理時間を短縮すると共に被調理物の均一な加熱を可能とすることが可能となった。又、加熱により釜に赤熱部分が生ずることなく、安全性を高めることが可能となった。又、排ガスや廃熱の発生を抑制して厨房環境を良好に保つことが可能となった。更に、加熱停止後の被調理物に対する保温性を高めることが可能となった。又、被調理物への排ガスやすすの混入がなく、被調理物の安全性を保つことが出来た。
【００１５】
又、請求項２から４記載の発明によれば、管と熱媒体との接触面積を大きくして加熱効率を高めることが出来、より調理時間の短縮、被調理物の均一な加熱を図ることが可能となった。
【００１６】
又、請求項５記載の発明によれば、万一にも漏出した熱媒体が被調理物に混入した場合であっても、被調理物の安全性を保つことをが可能となった。更に、食用油は熱媒体としてコストが低いという利点があり、又、２００℃以上の高温を保つことが可能であるので、調理及び保温の効率がよくなった。
【００１７】
又、請求項６記載の発明によれば、内釜と外釜とで構成される密閉空間内の圧力の変動を抑制することが出来、釜の破損を防止可能で、調理者の安全も確保することが可能となった。
【発明を実施するための最良の形態】
【００１８】
以下本発明の実施の形態を図に従って説明する。調理装置１は上部開口の内釜３と外釜４で構成される釜２、外釜４を電磁誘導加熱する誘導加熱コイル５、釜２及び誘導加熱コイル５を被覆する外袴６、釜２の両側に配置され釜２を支持する支持体７１，７２及び内釜３と外釜４間の密閉空間１０内を負圧にする負圧手段８を備えて構成されている。
【００１９】
釜２は内釜３と外釜４の二重構造とし、外釜４は内釜３の胴部３１及び底部３２を被覆し、外釜４の上端を内釜３の上端部に固着して、夫々の胴部３１，４８及び底部３２，４９を離間させて、内釜３と外釜４間に密閉空間１０を構成している。又、外釜４の底部４９の一部を下方へ突出させてタンク４１を設けている。タンク４１は四側面４１２，４１２…及び底面４１３からなる上部開口の四角柱形状であり、側面４１２の上部を外釜４の底部４９に設けた孔４８に溶着して形成し、タンク４１内部は密閉空間１０の一部を構成している。
【００２０】
タンク４１にはタンク４１を水平方向に貫通する３本の円筒状の管４２を設け、該管４２内に誘導加熱コイル５を設置している。両端開口の管４２の両端縁４２２，４２２はタンク４１の対向する側面４１２，４１２に設けた孔４１４，４１４に溶着され、管４２は密閉空間１０内に位置するが、管４２の内部は密閉空間１０を構成せずに、密閉空間１０の外部に開放されている。管４２は他の管４２、タンク４１の底面４１３及び内釜３の底部３２と適宜の間隔を備えて設けている。このような構成とすることで、管４２と熱媒体２２の接触面積を広くすることが出来、熱媒体２２ひいては被調理物の急速加熱、均一な加熱が可能となっている。
【００２１】
尚、管４２の設置数は３本に限定されず、１本、２本或いは４本以上を設けることとしてもよく、その形状も直線状且つ円筒状に限定されず、湾曲状、屈曲状、又、断面方形状等も採用可能である。又、管４２はタンク４１を貫通させず、即ち一端のみ開口させる構成としてもよく、更に、タンク４１を設けずに、一端のみ開口又は両端開口の管４２を密閉空間１０内に挿入設置することとしてもよい。又、外釜４にはタンク４１及び管４２を設けずに、外釜４の外面に適宜誘導加熱コイル５を配設する構成としてもよい。
【００２２】
外釜４或いは少なくとも管４２又は管４２の内面は誘導加熱コイル５により誘導加熱され得る適当な抵抗率を有する金属材料、例えばステンレス、鉄、銅等を用いて形成している。釜２の密閉空間１０内には熱媒体２２及び気体としての空気１００が封入されている。又、外釜４には熱媒体２２及び空気１００の密閉空間１０内への注入、排出を行う図示しないバルブを設けている。尚、一般的に熱媒体には空気等の気体も包含されるが、本願発明における熱媒体２２には空気等の常温時に気体のものは包含されない。又、気体は常温時に気体のものを意味し、空気１００に限定されない。誘導加熱コイル５は図示しない電源、後述するシーケンサ５１に電気的に接続されている。
【００２３】
釜２は釜２の側部を被複する円筒状の外袴６の上端部６１で支持され、外袴６は対向する二個の回転軸１１，１１に固定され、回転軸１１，１１は収納部７３を備える函状の支持体７１，７２内に設けた軸受１２，１２に回転自在に軸支されている。支持体７１にはハンドル７９が設けられ、ハンドル７９の軸７９１に設けたウォーム６６及び回転軸１１に設けたウォーム歯車６７により回転軸１１と連結して、ハンドル７９の回転により回転軸１１を軸方向に回転させて釜２を回動、傾倒可能としている。回転軸１１には軸方向に貫通する貫通孔１１１が設けられ、外袴６の該貫通孔１１１と対応する位置に通孔６２が設けられて、外袴６内部と収納部７３が連通している。
【００２４】
外釜３の上部側面には吸引管８２の一端を接続して密閉空間１０と連通させ、吸引管８２は回転軸１１の貫通孔１１１を通り、吸引管８２の他端を支持体７１の収納部７３内に設置した真空ポンプ８１に接続し、吸引管８２には密閉空間１０内の圧力を計測する圧力検出手段たる圧力センサ８３、密閉空間１０を開閉する電磁弁８４及び密閉空間１０内の熱媒２２が吸引管８２内或いは少なくとも真空ポンプ８１に進入するのを防止するフィルター８５を備えて、負圧手段８を構成している。吸引管８２は収納部７３内の貫通孔１１１出口付近でスイベルジョイント８９により接続されて構成され、スイベルジョイント８９から外釜３までの部分を回動可能とし、釜２の回動と共に回動する構成としている。
【００２５】
蓋１３は支持体７１に枢支されたアーム１４に支持されて、内釜３の上部開口部を開閉自在としている。又、支持体７１には釜２に給水、給湯する為の水栓１５，１５を設けている。
【００２６】
支持体７２には圧力検出手段たる圧力センサ８３で検出された密閉空間１０内の圧力を予め記憶された値と比較演算して電磁弁８４の開閉及び真空ポンプ８１の作動、誘導加熱コイル５への電流等を制御する制御手段たるシーケンサ５１、図示しない電磁接触器、補助リレー、ブレーカ等が内設され、支持体７２の前面には操作盤９１が設けられ、該操作盤９１には電磁弁８４、真空ポンプ８１等の電源スイッチ、圧力表示モニタ等が設けられている。
【００２７】
内釜３と外釜４間の密閉空間１０には熱媒体２２及び空気１００が封入されている。このように熱媒体２２のみで密閉空間１０を満たすのではなく空気１００をも封入することにより、熱媒体２２の熱膨張に伴う密閉空間１０内の圧力を調整可能としている。熱媒体２２としては、グリス等の工業油や食用油等の油や水等を用いることが出来るが、高温を保つことが容易且つ低コストで、更に、釜２の破損等による被調理物への混入時にも被調理物の安全性を保つことが可能な食用油が望ましい。又、熱媒体２２の封入量は用いる熱媒体２２の熱膨張率により適宜決定するが、膨張時に密閉空間１０の体積以下の体積となる量とする。例えば、密閉空間１０の体積が９７ｌ、熱媒体に７６ｌを３００℃まで加熱すると約９７ｌとなる食用油を用いる場合には、熱媒体２２としての該食用油を７１ｌ封入する。
【００２８】
尚、他の実施形態として、密閉空間１０には空気１００等の気体は封入せずに、熱媒体２２のみを封入し、負圧手段８を設けない構成、或いは負圧手段８は設けないが、密閉空間１０には熱媒体２２及び空気１００等の気体を封入する構成とすることも可能である。
【００２９】
次に、本発明の調理装置１の使用、作用について説明する。密閉空間１０内に熱媒体２２及び空気１００を封入し、負圧手段８を用いて、即ち、操作盤９１を操作し、圧力センサ８３で密閉空間１０内の圧力を検出してシーケンサ５１に出力し、該圧力の情報を入力したシーケンサ５１は予め設定記憶された圧力値と比較演算して電磁弁８４を開き、真空ポンプ８１を作動させるよう制御する。密閉空間１０内の空気１００は吸引管８２をとおり真空ポンプ８１に吸引されて、密閉空間１０内を負圧とする。
【００３０】
予め設定された圧力値まで負圧になると、シーケンサ５１の制御により電磁弁８４を閉じると共に、真空ポンプ８１を停止させる。この後に内釜３内に被調理物を投入し、誘導加熱コイル５により外釜４の一部である管４２を誘導加熱する。そして、順次熱交換が行われ、管４２は熱媒体２２を加熱し、熱媒体２２は内釜３を加熱することにより、内釜３内に投入された被調理物を加熱し、調理する。
【００３１】
このように内部に熱媒体２２を封入した二重構造の釜２の外釜４を誘導加熱コイル５を用いて誘導加熱するので、急速な加熱が出来、しかも被調理物の均一な加熱が可能となっている。又、管４２は熱媒体２２に囲まれているので、管４２と熱媒体２２の接触面積が広く、効率よく加熱することが出来る。
【００３２】
加熱された熱媒体２２は熱膨張するが、密閉空間１０内が負圧となっているので、密閉空間１０内の圧力の上昇を抑制することが出来、内釜３及び外釜４の損傷を防止することが出来る。
【００３３】
調理が終了し電源を切っても熱媒体２２の温度は急激には低下しないので、被調理物を長時間に亘って保温することが可能である。
【００３４】
その後熱媒体２２の温度は徐々に低下し、熱媒体２２は収縮するが、熱媒体２２の膨張により収縮した空気１００が膨張するので、密閉空間１０内の圧力の変動を抑制することが出来る。このように負圧状態の空気１００が熱媒体２２の膨張、収縮による密閉空間１０内の圧の変動を吸収し、釜２の損傷を防止している。
【００３５】
次に本調理装置１を使用する前に上記と同様に密閉空間１０内を負圧として、調理を開始する。負圧にするのは、直前の調理がおわり、熱媒体２２が略常温時の体積に戻った時に行うことにより、次回の調理に於いて負圧にする作業時間の短縮を図れるので、望ましい。このように調理毎に負圧手段８を用いて密閉空間１０内の圧力を調整して負圧とすることが望ましいが、必ずしも調理毎に行わなくてもよい。
【図面の簡単な説明】
【００３６】
【図１】本発明一実施例側面図
【図２】本発明一実施例平面図
【図３】本発明一実施例釜部分側面図
【図４】本発明一実施例支持体部分側面図
【符号の説明】
【００３７】
１      調理装置
２      釜
３      内釜
４      外釜
４１    タンク
４２    管
５      誘導加熱コイル
５１    シーケンサ
６      外袴
７１    支持体
７２    支持体
８      負圧手段
８１    真空ポンプ
８２    吸引管
８３    圧力センサ
８４    電磁弁
８５    フィルター
９１    操作盤
１０    密閉空間
１１    回転軸
１３    蓋
２２    熱媒体
１００  空気
【図１】
2006239315.tif 000003
【図２】
2006239315.tif 000004
【図３】
2006239315.tif 000005
【図４】
2006239315.tif 000006